(57)【要約】      （修正有）【課題】通話人が電話をしながら、両手で自由に作業できるようにする。【解決手段】送受話器の受話部と送話部の両方に送受話器を耳と顎に掛け止めできるフック状吊り下げ具と円弧状サポート・レバーを設け、必要な場合はワンタッチで、フック状吊り下げ具と円弧状サポート・レバーが自動的にリミット部位まで開かれて、送受話器を通話人の耳と顎に掛け止めできる。【選択図】図８
0003120635.tif 000002
【実用新案登録請求の範囲】
【請求項１】
送話部と受話部とを有する電話機の送受話器はこの送受話器の受話部と送話部には図１のような嵌め込んだフック状吊り下げ具と円弧状のサポート・レバーが設けられている。
【請求項２】
図１の如き、前記フック状吊り下げ具１と円弧状サポート・レバー２が図３縦断面図Ａ−Ａ１、３、５、６、７と図４縦断面図Ｃ−Ｃ１、５、８、９と図５縦断面図Ｄ―Ｄ８、９と図７制御レバーのような構造とスプリングの働きに基づいて、制御ボタン３により、自動的にミリット部位まで開ける。
【請求項３】
前記受話部のフック状吊り下げ具と送話部の円弧状サポート・レバーは使用後、手動で、元の位置に戻せると、通常状態の送受話器になる。
【請求項４】
正面図の如き、前記送受話器本体の真ん中に４の固定ネジにより送受話器の長さは通話する人の顔面に合わせて調整できる。
【考案の詳細な説明】
【技術分野】
【０００１】
本発明は電話機の送受話器やコードレス電話機の子機、或は電話機本体が送受話器となる携帯電話などに関するものである。
【背景技術】
【０００２】
電話機の送受話器は片手で持って通話するようになり、電話しながらメモを取ったり、探し物をしたりする場合、送受話器を耳と肩の間に挟む姿勢になり、両手が自由に動けるが、首を傾けるという無理な姿勢を長く維持するには大変不便で疲れやすいです。    
【０００３】
従来の電話機送受話器についての考案はほとんど送受話器本体に補助具を取り付けるようになり、とても不便で、それに、受話部一箇所だけの固定で、送受話器が不安定で、通話しにくいです。下記の公開された特許は先行技術調査報告書の結果である。
【特許文献１】特開  昭５５−１５９６６２公報
【特許文献２】特開２０００−３２４２１９公報
【特許文献３】特開２００１−１３６２５８公報
【特許文献４】特開２００１−１６８９６８公報
【特許文献５】特開２００１−２７４８８３公報
【特許文献６】特開２００１−３０９００６公報
【特許文献７】特開２００２−６４６１１公報
【特許文献８】特開昭６０−１５８３６１公報
【特許文献９】特開平０７−３３０５７公報
【考案の開示】
【考案が解決しようとする課題】
【０００４】
電話する時は、片手で電話を持ち、片手でペンを持って、ノートする場合が多い。その場合は見たいファイルを開いたり、必要な資料を取り出したりする時は、ほとんど送受話器を耳と肩の間に挟むが、この無理な姿勢により、とても不便で、疲れやすいです。本発明は送受話器の受話部と送話部の両方に送受話器を耳と顎に掛け止めできるフック状吊り下げ具と円弧状サポート・レバーを設けているので、上記の課題が解決できる。
【課題を解決するための手段】
【０００５】
図１の如き、送受話器の受話部に嵌め込んだ耳に吊り下げる用のフック状の部分１と送話部に嵌め込んだ円弧状のサポート・レバー部分２は制御ボタン３を押すと、図３、図４、図５、図６、図７の構造により、図３の６と図６の６の止め具が引かれて、スプリングの弾力により、上記の受話部のフック状吊り下げ具と送話部の円弧状サポート・レバーが自動的に図５、図６のリミット部位まで、開かれる。通話する時に、受話部の吊り下げ具は耳に吊り下げて、送話器の円弧状サポート・レバーが顎に掛け止めることにより、送受話器が耳と顎に掛け止められるようになり、通話できる状態となり、両手がフリーになり、通話しながら、両手とも自由に作業ができるので、上記の課題が解決できるようになる。
【考案の効果】
【０００６】
請求項１項、２項、３項、４項に記載の発明によれば
電話機の送受話器の受話部と送話部に設けたフック状吊り下げ具と円弧状サポート・レバーは使わない場合は送受話器のケースに嵌め込んだ設計をしているので、外観は一般的な電話デザインと同じで、通常状態も使いやすいです。
耳に掛け止めるフック状吊り下げ具と顎に掛け止めるサポート・レバーは片手で制御ボタンを押すだけで、瞬時に開け、使いやすく、操作が簡単です。
耳に掛け止める吊り下げ具と顎に掛け止める円弧状サポート・レバーは簡単に送受話器を通話できるように耳と顎に掛け止めるようになり、通話しながら、両手が自由に作業できるようになる。
通話後、すぐ手動で簡単に前記の吊り下げ具とサポート・レバーを元の位置に戻せるので、一般的な電話と同じように使える。
送受話器の真ん中にある固定ネジにより、送受話器の長さが調整でき、送受話器を使う人の顔面サイズに合わせて、吊り下げ具とサポート・レバーがぴったり耳と顎に掛け止めるようにできる。
【考案を実施するための最良の形態】
【０００７】
受話部のフック状吊り下げ具と送話部の円弧状サポートレバーは送受話器本体ケースと一体的に設計する。送受話器本体ケースと同じ材質のプラスチック成型部品にする。
【実施例】
【０００８】
必要な場合はワンタッチで、自動制御ボタン３を押すと受話部のフック状吊り下げ具と送話部の円弧状サポート・レバーが自動的にリミット部位まで開かれて、送受話器を通話人の耳と顎に掛け止めできて、通話人が電話しながら、両手がフリーになり、思う通りに作業できる。
【産業上の利用可能性】
【０００９】
電話機を使う全ての業界・個人などに活用できる。
【図面の簡単な説明】
【００１０】
【図１】送受話器の正面図である。
【図２】送受話器の側面図である。
【図３】吊り下げ具のストッパー関係断面図である。
【図４】吊り下げ具リミットストッパー断面図１である。
【図５】吊り下げ具リミットストッパー断面図２である。
【図６】サポートレバー開き状態の断面図である。
【図７】制御レバー構造図である。
【図８】送受話器斜視図である。
【符号の説明】
【００１１】
１  吊り下げ具。
２  サポート・レバー
３  制御ボタン
４  固定ネジ
５  送受話器本体
６  ストッパー
７  スプリング
８  リミット・ストッパー
９  スプリング
１０  スプリング付き回転軸
１１  スプリング付き回転軸
【図１】
0003120635.tif 000003
【図２】
0003120635.tif 000004
【図３】
0003120635.tif 000005
【図４】
0003120635.tif 000006
【図５】
0003120635.tif 000007
【図６】
0003120635.tif 000008
【図７】
0003120635.tif 000009
【図８】
0003120635.tif 000010
【手続補正書】
【提出日】平成17年8月2日(2005.8.2)
【手続補正１】
【補正対象書類名】実用新案登録請求の範囲
【補正対象項目名】全文
【補正方法】変更
【補正の内容】
【実用新案登録請求の範囲】
【請求項１】
送話部と受話部とを有する電話機の送受話器はこの送受話器の受話部には送受話器ケースと一体化した設計のフック状吊り下げ具が設けられている。この送受話器の送話部には、送受話器ケースと一体化した設計の円弧状のサポート・レバーが設けられている。
【請求項２】
受話部のフック状吊り下げ具と送話部の円弧状サポート・レバーを特徴とする請求項１記載の送受話器は、必要な場合はスプリングにより、受話部のフック状吊り下げ具と送話部の円弧状サポート・レバーが自動的に設定した位置まで開ける状態になり、通話人の耳と顎に送受話器が掛け止められるようにできる。
【請求項３】
受話部のフック状吊り下げ具と送話部の円弧状サポート・レバーを特徴とする請求項１記載の送受話器は、その送受話器の受話部のフック状吊り下げ具と送話部の円弧状サポート・レバーは使用後、手動で、元の位置に戻せる。
【請求項４】
受話部のフック状吊り下げ具と送話部の円弧状サポート・レバーを特徴とする請求項１記載の送受話器は、この送受話器本体ケースは必要に応じて長さの調整ができる
【手続補正２】
【補正対象書類名】明細書
【補正対象項目名】全文
【補正方法】変更
【補正の内容】
【考案の詳細な説明】
【技術分野】
【０００１】    本発明は電話機の送受話器やコードレス電話機の子機、或は電話機本体が送受話器となる携帯電話などに関するものである。
【背景技術】
【０００２】    電話機の送受話器は片手で持って通話するようになり、電話しながらメモを取ったり、探し物をしたりする場合、送受話器を耳と肩の間に挟む姿勢になり、両手が自由に動けるが、首を傾けるという無理な姿勢を長く維持するには大変不便で疲れやすいです。【０００３】    従来の電話機送受話器についての考案はほとんど送受話器本体に補助具を取り付けるようになり、とても不便で、それに、受話部一箇所だけの固定で、送受話器が不安定で、通話しにくいです。下記の公開された特許は先行技術調査報告書の結果である。
【特許文献１】特開昭５５−１５９６６２公報
【特許文献２】特開２０００−３２４２１９公報
【特許文献３】特開２００１−１３６２５８公報
【特許文献４】特開２００１−１６８９６８公報
【特許文献５】特開２００１−２７４８８３公報
【特許文献６】特開２００１−３０９００６公報
【特許文献７】特開２００２−６４６１１公報
【特許文献８】特開昭６０−１５８３６１公報
【特許文献９】特開平０７−３３０５７公報
【考案の開示】
【考案が解決しようとする課題】
【０００４】    電話する時は、片手で電話を持ち、片手でペンを持って、ノートする場合が多い。その場合は見たいファイルを開いたり、必要な資料を取り出したりする時は、ほとんど送受話器を耳と肩の間に挟むが、この無理な姿勢により、とても不便で、疲れやすいです。本発明は送受話器の受話部と送話部の両方に送受話器を耳と顎に掛け止めできるフック状吊り下げ具と円弧状サポート・レバーを設けているので、上記の課題が解決できる。
【課題を解決するための手段】
【０００５】    電話機の送受話器本体ケースの受話部には送受話器本体ケースと一体的に設計したフック状吊り下げ具がある。電話機の送受話器本体ケースの送話部には送受話器本体ケースと一体的に設計した円弧状サポート・レバーがある。電話しながら、両手作業する場合は、制御ボタンのワンタッチにより、送受話器の受話部のフック状吊り下げ具と送話部の円弧状サポート・レバーが自動的に設計した角度まで開かれ、通話人の耳と顎に掛け止めるようにすれば、通話人が電話しながら、フリーになった両手が自由に作業できるようになる。
【考案の効果】
【０００６】    請求項１項、２項、３項、４項に記載の発明によれば
電話機の送受話器の受話部と送話部に設けたフック状吊り下げ具と円弧状サポート・レバーは使わない場合は送受話器本体のケースに嵌め込んだ設計をしているので、外観は一般的なデザインの電話機の送受話器と同じで、使いやすいです。
耳に掛け止めるフック状吊り下げ具と顎に掛け止めるサポート・レバーは片手で制御ボタンを押すだけで、瞬時に開け、操作が簡単で、使いやすいです。
耳に掛け止める吊り下げ具と顎に掛け止める円弧状サポート・レバーは簡単に送受話器を通話できるように耳と顎に掛け止めるようになり、通話しながら、両手が自由に作業できるようになる。
通話後、すぐ手動で簡単に前記の吊り下げ具とサポート・レバーを元の位置に戻せるので、一般的な電話機の送受話器と同じように使える。
送受話器の真ん中にある固定ネジにより、送受話器の長さが調整でき、送受話器を使う人の顔面サイズに合わせて、吊り下げ具とサポート・レバーがぴったり耳と顎に掛け止めるようにできる。
【考案を実施するための最良の形態】
【０００７】  受話部のフック状吊り下げ具と送話部の円弧状サポートレバーは送受話器本体ケースと一体的に設計する。送受話器本体ケースと同じ材質のプラスチック成型部品にする。
【実施例】
【０００８】  必要な場合はワンタッチで、自動制御ボタンを押すと受話部のフック状吊り下げ具と送話部の円弧状サポート・レバーが自動的に設計した角度まで開かれて、送受話器を通話人の耳と顎に掛け止めできて、通話人が電話しながら、両手がフリーになり、思う通りに作業できる。
【産業上の利用可能性】
【０００９】  電話機を使う全ての業界・個人などに活用できる。
【図面の簡単な説明】
【００１０】
【図１】送受話器の正面図である。
【図２】送受話器の側面図である。
【図３】吊り下げ具のストッパー関係断面図（〔図１〕Ａ断面図）である。
【図４】吊り下げ具リミットストッパー断面図１（〔図１〕Ｃ断面図）である。
【図５】吊り下げ具リミットストッパー断面図２（〔図１〕Ｄ断面図）である。
【図６】サポートレバー開き状態の断面図（〔図１〕Ｂ断面図）である。
【図７】制御レバー構造図である。
【図８】送受話器斜視図である。
【符号の説明】
【００１１】１  吊り下げ具。
２  サポート・レバー
３  制御ボタン
４  固定ネジ
５  送受話器本体
６  ストッパー
７  スプリング
８  リミット・ストッパー
９  スプリング
１０  スプリング付き回転軸
１１  スプリング付き回転軸
【手続補正書】
【提出日】平成17年10月4日(2005.10.4)
【手続補正１】
【補正対象書類名】実用新案登録請求の範囲
【補正対象項目名】全文
【補正方法】変更
【補正の内容】
【実用新案登録請求の範囲】
【請求項１】
送話部と受話部とを有する電話機の送受話器はこの送受話器の受話部には送受話器ケースと一体化した設計のフック状吊り下げ具が設けられている。この送受話器の送話部には、送受話器ケースと一体化した設計の円弧状のサポート・レバーが設けられているという状態を有するハンド・フリー送受話器である。
「受話部のフック状吊り下げ具と送話部の円弧状サポート・レバーを特徴とする請求項１記載の送受話器において、
（１）受話部のフック状吊り下げ具と送話部の円弧状サポート・レバーを特徴とする請求項１記載の送受話器は、必要な場合はスプリングにより、受話部のフック状吊り下げ具と送話部の円弧状サポート・レバーが自動的に設定した位置まで開ける状態になり、通話人の耳と顎に送受話器が掛け止められるような状態になり、通話人が上述状態の送受話器を耳と顎に掛けたまま、電話しながら、フリーになった両手が自由に作業できるという状態を有するハンド・フリー送受話器である。
（２）受話部のフック状吊り下げ具と送話部の円弧状サポート・レバーを特徴とする請求項１記載の送受話器は、その送受話器の受話部のフック状吊り下げ具と送話部の円弧状サポート・レバーは通話後、すぐ手動で簡単に元の位置に戻せるので、一般的な電話機の送受話器と同じように便利に使えるという状態を有するハンド・フリー送受話器である。
（３）受話部のフック状吊り下げ具と送話部の円弧状サポート・レバーを特徴とする請求項１記載の送受話器は、この送受話器の本体裏側の真ん中に設けた固定ネジにより、送受話器本体の長さが調整でき、送受話器を使う人の顔面サイズに合わせて、吊り下げ具とサポート・レバーがぴったり耳と顎に掛け止めるようにできるので、通話人は上述の送受話器を掛けたまま、電話しながらフリーになった両手が自由に作業できるという状態を有するハンド・フリー送受話器である。
以上の構成からなるハンド・フリー送受話器である。」
【手続補正２】
【補正対象書類名】明細書
【補正対象項目名】全文
【補正方法】変更
【補正の内容】
【考案の詳細な説明】
【技術分野】
【０００１】    本発明は電話機の送受話器やコードレス電話機の子機、或は電話機本体が送受話器となる携帯電話などに関するものである。
【背景技術】
【０００２】    電話機の送受話器は片手で持って通話するようになり、電話しながらメモを取ったり、探し物をしたりする場合、送受話器を耳と肩の間に挟む姿勢になり、両手が自由に動けるが、首を傾けるという無理な姿勢を長く維持するには大変不便で疲れやすいです。【０００３】    従来の電話機送受話器についての考案はほとんど送受話器本体に補助具を取り付けるようになり、とても不便で、それに、受話部一箇所だけの固定で、送受話器が不安定で、通話しにくいです。下記の公開された特許は先行技術調査報告書の結果である。
【特許文献１】特開昭５５−１５９６６２公報
【特許文献２】特開２０００−３２４２１９公報
【特許文献３】特開２００１−１３６２５８公報
【特許文献４】特開２００１−１６８９６８公報
【特許文献５】特開２００１−２７４８８３公報
【特許文献６】特開２００１−３０９００６公報
【特許文献７】特開２００２−６４６１１公報
【特許文献８】特開昭６０−１５８３６１公報
【特許文献９】特開平０７−３３０５７公報
【考案の開示】
【考案が解決しようとする課題】
【０００４】    電話する時は、片手で電話を持ち、片手でペンを持って、ノートする場合が多い。その場合は見たいファイルを開いたり、必要な資料を取り出したりする時は、ほとんど送受話器を耳と肩の間に挟むが、この無理な姿勢により、とても不便で、疲れやすいです。本発明は送受話器の受話部と送話部の両方に送受話器を耳と顎に掛け止めできるフック状吊り下げ具と円弧状サポート・レバーを設けているので、上記の課題が解決できる。
【課題を解決するための手段】
【０００５】    電話機の送受話器本体ケースの受話部には送受話器本体ケースと一体的に設計したフック状吊り下げ具がある。電話機の送受話器本体ケースの送話部には送受話器本体ケースと一体的に設計した円弧状サポート・レバーがある。電話しながら、両手作業する場合は、制御ボタンのワンタッチにより、送受話器の受話部のフック状吊り下げ具と送話部の円弧状サポート・レバーが自動的に設計した角度まで開かれ、通話人の耳と顎に掛け止めるようにすれば、通話人が電話しながら、フリーになった両手が自由に作業できるようになる。
【考案の効果】
【０００６】    請求項１項に記載の発明によれば
電話機の送受話器の受話部と送話部に設けたフック状吊り下げ具と円弧状サポート・レバーは使わない場合は送受話器本体のケースに嵌め込んだ設計をしているので、外観は一般的なデザインの電話機の送受話器と同じで、使いやすいです。
耳に掛け止めるフック状吊り下げ具と顎に掛け止めるサポート・レバーは片手で制御ボタンを押すだけで、瞬時に開け、操作が簡単で、使いやすいです。
耳に掛け止める吊り下げ具と顎に掛け止める円弧状サポート・レバーは簡単に送受話器を通話できるように耳と顎に掛け止めるようになり、通話しながら、両手が自由に作業できるようになる。
通話後、すぐ手動で簡単に前記の吊り下げ具とサポート・レバーを元の位置に戻せるので、一般的な電話機の送受話器と同じように使える。
送受話器の本体裏側の真ん中にある固定ネジにより、送受話器の長さが調整でき、送受話器を使う人の顔面サイズに合わせて、吊り下げ具とサポート・レバーがぴったり耳と顎に掛け止めるようにできる。
【考案を実施するための最良の形態】
【０００７】  受話部のフック状吊り下げ具と送話部の円弧状サポートレバーは送受話器本体ケースと一体的に設計する。送受話器本体ケースと同じ材質のプラスチック成型部品にする。
【実施例】
【０００８】  必要な場合はワンタッチで、自動制御ボタンを押すと受話部のフック状吊り下げ具と送話部の円弧状サポート・レバーが自動的に設計した角度まで開かれて、送受話器を通話人の耳と顎に掛け止めできて、通話人が電話しながら、両手がフリーになり、思う通りに作業できる。
【産業上の利用可能性】
【０００９】  電話機を使う全ての業界・個人などに活用できる。
【図面の簡単な説明】
【００１０】
【図１】送受話器の正面図である。
【図２】送受話器の側面図である。
【図３】吊り下げ具のストッパー関係断面図（〔図１〕Ａ断面図）である。
【図４】吊り下げ具リミットストッパー断面図１（〔図１〕Ｃ断面図）である。
【図５】吊り下げ具リミットストッパー断面図２（〔図１〕Ｄ断面図）である。
【図６】サポートレバー開き状態の断面図（〔図１〕Ｂ断面図）である。
【図７】制御レバー構造図である。
【図８】送受話器斜視図である。
【符号の説明】
【００１１】１  吊り下げ具。
２  サポート・レバー
３  制御ボタン
４  固定ネジ
５  送受話器本体
６  ストッパー
７  スプリング
８  リミット・ストッパー
９  スプリング
１０  スプリング付き回転軸
１１  スプリング付き回転軸
【手続補正書】
【提出日】平成17年12月22日(2005.12.22)
【手続補正１】
【補正対象書類名】実用新案登録請求の範囲
【補正対象項目名】全文
【補正方法】変更
【補正の内容】
【実用新案登録請求の範囲】
【請求項１】
送話部と受話部とを有する電話機の送受話器はこの送受話器の受話部には送受話器ケースと一体化した設計のフック状吊り下げ具が設けられており、この送受話器の送話部には、送受話器ケースと一体化した設計の円弧状のサポート・レバーが設けられているという状態を有するハンド・フリー送受話器である、
「受話部のフック状吊り下げ具と送話部の円弧状サポート・レバーを特徴とする送受話器において、
（１）受話部のフック状吊り下げ具と送話部の円弧状サポート・レバーを特徴とする送受話器は、必要な場合はスプリングにより、受話部のフック状吊り下げ具と送話部の円弧状サポート・レバーが自動的に設定した位置まで開ける状態になり、通話人の耳と顎に送受話器が掛け止められるような状態になり、通話人が上述状態の送受話器を耳と顎に掛けたまま、電話しながら、フリーになった両手が自由に作業できるという状態を有するハンド・フリー送受話器である、
（２）受話部のフック状吊り下げ具と送話部の円弧状サポート・レバーを特徴とする送受話器は、その送受話器の受話部のフック状吊り下げ具と送話部の円弧状サポート・レバーは通話後、すぐ手動で簡単に元の位置に戻せるので、一般的な電話機の送受話器と同じように便利に使えるという状態を有するハンド・フリー送受話器である、
（３）受話部のフック状吊り下げ具と送話部の円弧状サポート・レバーを特徴とする送受話器は、この送受話器の本体裏側の真ん中に設けた固定ネジにより、送受話器本体の長さが調整でき、送受話器を使う人の顔面サイズに合わせて、吊り下げ具とサポート・レバーがぴったり耳と顎に掛け止めるようにできるので、通話人は上述の送受話器を掛けたまま、電話しながらフリーになった両手が自由に作業できるという状態を有するハンド・フリー送受話器である、
以上の構成からなるハンド・フリー送受話器である。」